(57)【特許請求の範囲】
【請求項１】
ウェブサイトパスワードを使用せずにウェブサイトアクセスのためのデバイス接続を認証するための方法であって、
ウェブサーバによって、あらかじめ決められた識別情報に基づいて、ウェブサイトへのアクセスを要求するデバイスから前記デバイス接続を介してアクセス要求を受信するステップと、
前記ウェブサーバによって、前記アクセス要求に応答して、前記デバイス接続を介してアクセスクッキーを前記デバイスに転送し、アクティベーションユニフォームリソースロケータ(URL)を、アドレスを使用したメッセージデバイスによる受信のための前記あらかじめ決められた識別情報に関連付けられた前記アドレスに転送するステップであって、前記アクセスクッキーが前記デバイス接続を介して前記デバイスに転送されるとき、前記アクセスクッキーがアクセスを許可するための前記ウェブサーバによってアクティブにされない、ステップと、
前記ウェブサーバによって、前記アクティベーションURLに対する要求を受信すると、前記デバイス接続を介して前記デバイスアクセスを許可するために前記アクセスクッキーをアクティブにするステップであって、前記要求は、前記メッセージデバイスで、前記転送されたアクティベーションURLの選択に応答して受信される、ステップと、
前記ウェブサーバによって、前記デバイスからリフレッシュされたアクセス要求を受信することに応答して、前記アクティブにされたアクセスクッキーに基づいて前記デバイス接続を介して前記ウェブサイトへのアクセスを許可するステップと
を備える方法。
【請求項２】
前記アクセスクッキーがセッション識別情報を含む、請求項1に記載の方法。
【請求項３】
前記デバイス接続のアクセス状態が前記ウェブサーバ上に記憶される、請求項1に記載の方法。
【請求項４】
前記ウェブサーバが電子メールにおいて前記アクティベーションユニフォームリソースロケータ(URL)を転送する、請求項1に記載の方法。
【請求項５】
前記ウェブサーバがショートメッセージサービス(SMS)メッセージにおいて前記アクティベーションユニフォームリソースロケータ(URL)を転送する、請求項1に記載の方法。
【請求項６】
前記メッセージデバイスが前記アクティベーションユニフォームリソースロケータ(URL)を呼び出すために使用される、請求項1に記載の方法。
【請求項７】
前記あらかじめ決められた識別情報がユーザ名である、請求項1に記載の方法。
【請求項８】
前記あらかじめ決められた識別情報が電子メールアドレスである、請求項1に記載の方法。
【請求項９】
前記デバイスが、接続セッションのため、前記デバイス接続を介してアクセスを許可される、請求項1に記載の方法。
【請求項１０】
ウェブサイトパスワードを使用せずにウェブサイトアクセスのためのデバイス接続を認証するための局であって、
ハードウェアプロセッサ、および、
あらかじめ決められた識別情報に基づいて、ウェブサイトへのアクセスを要求するデバイスから前記デバイス接続を介してアクセス要求を受信するための手段と、
前記アクセス要求に応答して、前記デバイス接続を介してアクセスクッキーを前記デバイスに転送し、アクティベーションユニフォームリソースロケータ(URL)を、アドレスを使用したメッセージデバイスによる受信のための前記あらかじめ決められた識別情報に関連付けられた前記アドレスに転送するための手段であって、前記アクセスクッキーが前記デバイス接続を介して前記デバイスに転送されるとき、前記アクセスクッキーがアクセスを許可するための前記局によってアクティブにされない、手段と、
前記アクティベーションURLに対する要求を受信すると、前記デバイス接続を介してデバイスアクセスを許可するために前記アクセスクッキーをアクティブにするための手段であって、前記要求は、前記メッセージデバイスで、前記転送されたアクティベーションURLの選択に応答して受信される、手段と、
前記デバイスからリフレッシュされたアクセス要求を受信することに応答して、前記アクティブにされたアクセスクッキーに基づいて前記デバイス接続を介して前記ウェブサイトへのアクセスを許可するための手段と
を実装するための前記ハードウェアプロセッサにより実行可能な命令を記憶するためのメモリ
を備える局。
【請求項１１】
前記アクセスクッキーがセッション識別情報を含む、請求項10に記載の局。
【請求項１２】
前記デバイス接続のアクセス状態が前記局上に記憶される、請求項10に記載の局。
【請求項１３】
前記アクティベーションユニフォームリソースロケータ(URL)が電子メールにおいて転送される、請求項10に記載の局。
【請求項１４】
前記アクティベーションユニフォームリソースロケータ(URL)がショートメッセージサービス(SMS)メッセージにおいて転送される、請求項10に記載の局。
【請求項１５】
前記メッセージデバイスが前記アクティベーションユニフォームリソースロケータ(URL)を呼び出すために使用される、請求項10に記載の局。
【請求項１６】
前記あらかじめ決められた識別情報がユーザ名である、請求項10に記載の局。
【請求項１７】
前記あらかじめ決められた識別情報が電子メールアドレスである、請求項10に記載の局。
【請求項１８】
ウェブサイトパスワードを使用せずにウェブサイトアクセスのためのデバイス接続を認証するための局であって、
あらかじめ決められた識別情報に基づいて、ウェブサイトへのアクセスを要求するデバイスから前記デバイス接続を介してアクセス要求を受信することと、
前記アクセス要求に応答して、前記デバイス接続を介してアクセスクッキーを前記デバイスに転送し、アクティベーションユニフォームリソースロケータ(URL)を、アドレスを使用したメッセージデバイスによる受信のための前記あらかじめ決められた識別情報に関連付けられた前記アドレスに転送することであって、前記アクセスクッキーが前記デバイス接続を介して前記デバイスに転送されるとき、前記アクセスクッキーがアクセスを許可するための前記局によってアクティブにされない、転送することと、
前記アクティベーションURLに対する要求を受信すると、前記デバイス接続を介して前記デバイスへのアクセスを許可するために前記アクセスクッキーをアクティブにすることであって、前記要求は、前記メッセージデバイスで、前記転送されたアクティベーションURLの選択に応答して受信される、アクティブにすることと、
前記デバイスからリフレッシュされたアクセス要求を受信することに応答して、前記アクティブにされたアクセスクッキーに基づいて前記デバイス接続を介して前記ウェブサイトへのアクセスを許可することと
を行うように構成されたハードウェアプロセッサ
を備える局。
【請求項１９】
前記アクセスクッキーがセッション識別情報を含む、請求項18に記載の局。
【請求項２０】
前記デバイス接続のアクセス状態を記憶するように構成されたメモリ
をさらに備える、請求項18に記載の局。
【請求項２１】
前記アクティベーションユニフォームリソースロケータ(URL)が電子メールにおいて転送される、請求項18に記載の局。
【請求項２２】
前記アクティベーションユニフォームリソースロケータ(URL)がショートメッセージサービス(SMS)メッセージにおいて転送される、請求項18に記載の局。
【請求項２３】
前記メッセージデバイスが前記アクティベーションユニフォームリソースロケータ(URL)を呼び出すために使用される、請求項18に記載の局。
【請求項２４】
前記あらかじめ決められた識別情報がユーザ名である、請求項18に記載の局。
【請求項２５】
前記あらかじめ決められた識別情報が電子メールアドレスである、請求項18に記載の局。
【請求項２６】
コンピュータに、あらかじめ決められた識別情報に基づいて、ウェブサイトへのアクセスを要求するデバイスからデバイス接続を介してアクセス要求を受信させるためのコードと、
コンピュータに、前記アクセス要求に応答して、前記デバイス接続を介してアクセスクッキーを前記デバイスに転送させ、アクティベーションユニフォームリソースロケータ(URL)を、アドレスを使用したメッセージデバイスによる受信のための前記あらかじめ決められた識別情報に関連付けられた前記アドレスに転送させるためのコードであって、前記アクセスクッキーが前記デバイス接続を介して前記デバイスに転送されるとき、前記アクセスクッキーがアクセスを許可するためのウェブサーバによってアクティブにされない、コードと、
コンピュータに、前記アクティベーションURLに対する要求を受信すると、前記デバイス接続を介してデバイスアクセスを許可するために前記アクセスクッキーをアクティブにさせるためのコードであって、前記要求は、前記メッセージデバイスで、前記転送されたアクティベーションURLの選択に応答して受信される、コードと、
コンピュータに、前記デバイスからリフレッシュされたアクセス要求を受信することに応答して、前記アクティブにされたアクセスクッキーに基づいて前記デバイス接続を介して前記ウェブサイトへのアクセスを許可させるためのコードと
を備える非一時的コンピュータ可読記録媒体。
【請求項２７】
前記アクセスクッキーがセッション識別情報を含む、請求項26に記載の非一時的コンピュータ可読記録媒体。
【請求項２８】
コンピュータに、前記デバイス接続のアクセス状態を記憶させるためのコード
をさらに備える、請求項26に記載の非一時的コンピュータ可読記録媒体。
【請求項２９】
前記アクティベーションユニフォームリソースロケータ(URL)が電子メールにおいて転送される、請求項26に記載の非一時的コンピュータ可読記録媒体。
【請求項３０】
前記アクティベーションユニフォームリソースロケータ(URL)がショートメッセージサービス(SMS)メッセージにおいて転送される、請求項26に記載の非一時的コンピュータ可読記録媒体。
【請求項３１】
前記メッセージデバイスが前記アクティベーションユニフォームリソースロケータ(URL)を呼び出すために使用される、請求項26に記載の非一時的コンピュータ可読記録媒体。
【請求項３２】
前記あらかじめ決められた識別情報がユーザ名である、請求項26に記載の非一時的コンピュータ可読記録媒体。
【請求項３３】
前記あらかじめ決められた識別情報が電子メールアドレスである、請求項26に記載の非一時的コンピュータ可読記録媒体。
【発明の詳細な説明】
【技術分野】
【０００１】
関連出願の相互参照
本出願は、その内容全体が参照により本明細書に組み込まれる、2013年8月2日に米国特許庁に出願された非仮特許出願第13/958,331号の優先権および利益を主張する。
【０００２】
本発明は一般に、ウェブサイトへのアカウントアクセスのためのパスワードを省くための技法に関する。
【背景技術】
【０００３】
多くのウェブサイトは、ユーザを認証し、ウェブサイトへのユーザアクセスを許可するために、ユーザ名およびパスワードを必要とする。ウェブサイトをめったに使用しないユーザは、そのウェブサイト用のパスワードを忘れることがある。また、いくつかのウェブサイトはセッション間の認証情報を記憶するためにクッキーを使用し、ユーザがユーザのパスワードを再入力することなしに複数のセッションにわたってウェブサイトを使用することを可能にする。頻繁に訪れるウェブサイトの場合、ユーザのコンピュータ上のクッキーに記憶された認証情報は比較的新しく、ユーザは、長い時間期間の間、自分のユーザ名およびパスワードを入力する必要がない場合がある。ユーザがパスワードを頻繁に入力する必要がない場合があるので、ユーザはしばしば訪れるウェブサイトのパスワードを忘れることがある。
【０００４】
ユーザパスワードを必要とする大半のウェブサイトは、典型的にはウェブサイトへのアクセスを登録するときにユーザによって提供されたアドレス宛の電子メールによって、ユーザが新しいパスワードを受け取ることを可能にする、パスワードリセット機構を提供する。一般に、ユーザは自分のパスワードをいつでもリセットすることができるので、本質的には、ユーザが自分のユーザ名を覚えている限り、あるセッションから次のセッションまで自分のパスワードを忘れてもよい。
【０００５】
しかしながら、忘れたパスワードは依然としてウェブサイトによって認識されるので、たとえば、障害を受けたハッシュを推測またはリバースすることによって、そのパスワードを見つけ出すことができる攻撃者は、ウェブサイトにアクセスすることができる。これは、パスワードリセット機構の望ましくない副作用を浮き彫りにする。忘れたパスワードはユーザにとっては役に立たないが、攻撃者にとってはそうではない。
【発明の概要】
【発明が解決しようとする課題】
【０００６】
したがって、パスワードを必要とせずに認証されるウェブサイトアクセスのための技法が必要とされている。
【課題を解決するための手段】
【０００７】
本発明の一態様は、ウェブサイトパスワードを使用せずにウェブサイトアクセスのためのデバイス接続を認証するための方法に存在し得る。本方法では、ウェブサーバは、あらかじめ決められた識別情報に基づいて、ウェブサイトへのアクセスを要求するデバイスからデバイス接続を介してアクセス要求を受信する。ウェブサーバは、アクセス要求に応答して、デバイス接続を介してアクセスクッキーをデバイスに転送し、アクティベーションURLをあらかじめ決められた識別情報に関連付けられたアドレスに転送する。ウェブサーバは、転送されたアクティベーションURLに対する要求を受信し、アクセスクッキーを使用して、デバイス接続を介してデバイスへのアクセスを許可する。
【０００８】
本発明のより詳細な態様では、アクセスクッキーは、セッション識別情報を含み得る。デバイス接続のアクセス状態は、ウェブサーバ上に記憶され得る。ウェブサーバは、電子メールにおいて、またはSMSメッセージにおいてアクティベーションURLを転送し得る。
【０００９】
本発明の他のより詳細な態様では、別のデバイスは、デバイス接続をアクティブにするためのアクティベーションURLを呼び出すために使用され得る。あらかじめ決められた識別情報は、ユーザ名、または電子メールアドレスであり得る。
【００１０】
本発明の別の態様は、ウェブサイトパスワードを使用せずにウェブサイトアクセスのためのデバイス接続を認証するための局であって、あらかじめ決められた識別情報に基づいて、ウェブサイトへのアクセスを要求するデバイスからデバイス接続を介してアクセス要求を受信するための手段と、アクセス要求に応答して、デバイス接続を介してアクセスクッキーをデバイスに転送し、アクティベーションURLをあらかじめ決められた識別情報に関連付けられたアドレスに転送するための手段と、転送されたアクティベーションURLに対する要求を受信し、アクセスクッキーを使用して、デバイス接続を介してデバイスへのアクセスを許可するための手段とを備える局に存在し得る。
【００１１】
本発明の別の態様は、ウェブサイトパスワードを使用せずにウェブサイトアクセスのためのデバイス接続を認証するための局であって、あらかじめ決められた識別情報に基づいて、ウェブサイトへのアクセスを要求するデバイスからデバイス接続を介してアクセス要求を受信することと、アクセス要求に応答して、デバイス接続を介してアクセスクッキーをデバイスに転送し、アクティベーションURLをあらかじめ決められた識別情報に関連付けられたアドレスに転送することと、転送されたアクティベーションURLに対する要求を受信し、アクセスクッキーを使用して、デバイス接続を介してデバイスへのアクセスを許可することとを行うように構成されたプロセッサを備える局に存在し得る。
【００１２】
本発明の別の態様は、コンピュータに、あらかじめ決められた識別情報に基づいて、ウェブサイトへのアクセスを要求するデバイスからデバイス接続を介してアクセス要求を受信させるためのコードと、コンピュータに、アクセス要求に応答して、デバイス接続を介してアクセスクッキーをデバイスに転送させ、アクティベーションURLをあらかじめ決められた識別情報に関連付けられたアドレスに転送させるためのコードと、コンピュータに、転送されたアクティベーションURLに対する要求を受信させ、アクセスクッキーを使用して、デバイス接続を介してデバイスへのアクセスを許可させるためのコードとを備えるコンピュータ可読媒体を備えるコンピュータプログラム製品に存在し得る。
【図面の簡単な説明】
【００１３】
【図１】ワイヤレス通信システムの一例のブロック図である。
【図２】本発明による、ウェブサイトパスワードを使用せずにウェブサイトアクセスのためのデバイス接続を認証するための方法の流れ図である。
【図３】ウェブサイトパスワードを使用せずにウェブサイトアクセスのためのデバイス接続を認証するための方法のより詳細な流れ図である。
【図４】プロセッサとメモリとを含むコンピュータのブロック図である。
【発明を実施するための形態】
【００１４】
「例示的な」という言葉は、本明細書では「一例、事例、または例示として機能する」ことを意味するように使用される。「例示的な」として本明細書で説明するいかなる実施形態も、必ずしも他の実施形態よりも好ましいか、または有利であると解釈されるべきではない。
【００１５】
図1および図2を参照すると、本発明の一態様は、ウェブサイトパスワードを使用せずにウェブサイトアクセスのためのデバイス接続を認証するための方法200に存在し得る。本方法では、ウェブサーバ114は、あらかじめ決められた識別情報に基づいて、ウェブサイトへのアクセスを要求するデバイス102からデバイス接続を介してアクセス要求を受信する(ステップ210)。ウェブサーバは、アクセス要求に応答して、デバイス接続を介してアクセスクッキーをデバイス102に転送し、アクティベーションURLをあらかじめ決められた識別情報に関連付けられたアドレスに転送する(ステップ220)。ウェブサーバは、転送されたアクティベーションURLに対する要求を受信し、アクセスクッキーを使用して、デバイス接続を介してデバイスへのアクセスを許可する(ステップ230)。
【００１６】
本発明のより詳細な態様では、アクセスクッキーは、セッション識別情報を含み得る。デバイス接続のアクセス状態は、ウェブサーバ114上に記憶され得る。ウェブサーバは、電子メールにおいて、またはSMSメッセージにおいてアクティベーションURLを転送し得る。
【００１７】
本発明の他のより詳細な態様では、別のデバイス102'は、デバイス接続をアクティブにするためのアクティベーションURLを呼び出すために使用され得る。あらかじめ決められた識別情報は、ユーザ名、または電子メールアドレスであり得る。
【００１８】
本発明は、新しいデバイス102がウェブサイトにアクセスするために使用されているか、またはウェブサイトにアクセスするようにセットアップされているときに、特に有利であり得る。電子メールなどのいくつかの機能はセットアップ前に利用可能ではない場合があるか、または、WiFi接続のみを有するタブレットまたはラップトップ上でのSMSメッセージングなどのいくつかの機能は新しいデバイス上で利用可能ではない場合がある。一例として、ユーザは、新しいタブレットを入手し、そのタブレットを使用して、電子メールなどのメッセージングアプリケーションをセットアップする前にウェブサイトまたはウェブアプリケーション用のアカウントにログインしたいと思う場合がある。
【００１９】
本技法を用いると、クッキーは要求側デバイス102に直ちに転送され、アクティベーションURLは、セルラーデータ接続を有するスマートフォンなどの任意のデバイス102'によってアクセスされ得る。相手側のデバイス、たとえば、スマートフォンがアクティベーションURLを実行すると、要求側デバイスは、転送されたクッキーを使用して接続セッションについて認証される。ウェブサイトのサーバ114は、アクティベーションURLが実行されるまで、転送されたクッキーを確認しない。アクティベーションの後、要求側デバイスはウェブサイトのウェブページをリフレッシュするにすぎず、要求側デバイスは、要求側デバイスにおいてユーザが必要とするいかなるさらなるアクションまたは入力も必要とすることなしに認証され、ログインされる。
【００２０】
本発明では、接続の概念は明示的にされ、ユーザのユーザ名に関連付けられた接続の管理にユーザが関わることを可能にする。ウェブサイトはアカウントプロファイルにおいてアクティブ接続のリストを維持することができ、ユーザはアクティブ接続のリストをレビューすることができる。また、ユーザは、借りたまたは貸し出されたデバイス上で使用するためなどの一時的な接続を作成することができる。
【００２１】
図3を参照すると、本発明によれば、要求側デバイス302(新しいデバイス102(図1)または接続が期限切れもしくは無効になったデバイス102)を使用するユーザは、ウェブサイトの接続アクティベーションウェブページ上の「接続をアクティブにする(Activate Connection)」リンクをクリックし得る(ステップ310)。リンクをクリックすることにより、デバイスはアクセス要求をウェブサイトサーバ304、たとえば、ウェブサーバ114(図1)に送ることができる(ステップ320)。リンクをクリックする前に、または問合せに応答して、ユーザはユーザ名(または、電子メールアドレス、電話番号などの類似の一意の識別子)を入力することがある。ウェブサイトサーバは、クッキーを要求側デバイスに発行し得る(ステップ330)。クッキーは、デバイスがウェブサイトにアクセスするのを許可するために必要なすべてのアクセス情報を有する。しかしながら、ウェブサイトサーバは、デバイス接続がアクティブになるまで、認証用のクッキーを確認しない。
【００２２】
ウェブサイトサーバ304は、アクティベーションメッセージをメッセージサーバ306に送るまたは転送することができる(ステップ340)。メッセージサーバは、メッセージを受信するメッセージデバイス308、たとえば、RS102'(図1)の機能に従って、電子メールメッセージ、SMSメッセージ、または類似の帯域外メッセージを送るまたは転送するように構成され得る(ステップ350)。メッセージは、アクティベーションURLを有するリンクを含み得る。リンクをクリックする(ステップ360)ことによって、ユーザは、メッセージデバイスに、アクティベーションURLに対する要求をウェブサイトサーバ304に転送させる(ステップ370)。ウェブサイトサーバは、アクティベーションURLに対する要求を受信し、確認メッセージをメッセージデバイスに返すことができる。より重要なことに、ウェブサイトサーバは今では要求側デバイス上のクッキーを認識する。したがって、クッキーはウェブサイトサーバによってアクティブにされる(ステップ380)。これは要求側デバイス302との新しいデバイス接続を認証し、新しいデバイス接続とは、「接続アクティベーション(connection activation)」リンクを有するアクティベーションメッセージをトリガしたアクセス要求が送られた接続を意味するものであり、アクティベーションURL用のリンクを実行したメッセージデバイス308に関連付けられた相手側の接続を意味するものではない。要求側デバイス上でウェブページをリフレッシュする(ステップ390)と、新しいデバイス接続を介して要求側デバイスへのアクセスが許可される(ステップ395)。
【００２３】
図4をさらに参照すると、本発明の別の態様は、ウェブサイトパスワードを使用せずにウェブサイトアクセスのためのデバイス接続を認証するための局(たとえば、ウェブサーバ114および/またはコンピュータ400)であって、あらかじめ決められた識別情報に基づいて、ウェブサイトへのアクセスを要求するデバイス102からデバイス接続を介してアクセス要求を受信するための手段410と、アクセス要求に応答して、デバイス接続を介してアクセスクッキーをデバイスに転送し、アクティベーションURLをあらかじめ決められた識別情報に関連付けられたアドレスに転送するための手段410と、転送されたアクティベーションURLに対する要求を受信し、アクセスクッキーを使用して、デバイス接続を介してデバイスへのアクセスを許可するための手段410とを備える局に存在し得る。
【００２４】
本発明の別の態様は、ウェブサイトパスワードを使用せずにウェブサイトアクセスのためのデバイス接続を認証するための局(たとえば、ウェブサーバ114および/またはコンピュータ400)であって、あらかじめ決められた識別情報に基づいて、ウェブサイトへのアクセスを要求するデバイス102からデバイス接続を介してアクセス要求を受信することと、アクセス要求に応答して、デバイス接続を介してアクセスクッキーをデバイスに転送し、アクティベーションURLをあらかじめ決められた識別情報に関連付けられたアドレスに転送することと、転送されたアクティベーションURLに対する要求を受信し、アクセスクッキーを使用して、デバイス接続を介してデバイスへのアクセスを許可することとを行うように構成されたプロセッサ410を備える局に存在し得る。
【００２５】
本発明の別の態様は、コンピュータ400に、あらかじめ決められた識別情報に基づいて、ウェブサイトへのアクセスを要求するデバイス102からデバイス接続を介してアクセス要求を受信させるためのコードと、コンピュータに、アクセス要求に応答して、デバイス接続を介してアクセスクッキーをデバイスに転送させ、アクティベーションURLをあらかじめ決められた識別情報に関連付けられたアドレスに転送させるためのコードと、コンピュータに、転送されたアクティベーションURLに対する要求を受信させ、アクセスクッキーを使用して、デバイス接続を介してデバイスへのアクセスを許可させるためのコードとを備えるコンピュータ可読媒体420を備えるコンピュータプログラム製品に存在し得る。
【００２６】
局102は、プロセッサ410と、メモリおよび/またはディスクドライブなどの記憶媒体420と、ディスプレイ430と、キーパッドなどの入力440と、インターネット110へのデータ接続を含み得るワイヤレス接続450および/またはワイヤード接続460とを含むコンピュータ400を備えるリモート局RSであってもよい。
【００２７】
図1を参照すると、ワイヤレスリモート局(RS)102(たとえば、移動局MS)は、ワイヤレス通信システム100の1つまたは複数の基地局(BS)104と通信し得る。各BSはいくつかの他のRS102'、102"などをサポートし得る。ワイヤレス通信システム100は、1つまたは複数の基地局コントローラ(BSC)106と、コアネットワーク108とをさらに含み得る。コアネットワークは、適切なバックホールを介して、インターネット110および公衆交換電話網(PSTN)112に接続されてもよい。典型的なワイヤレス移動局は、ハンドヘルド電話またはラップトップコンピュータを含み得る。ワイヤレス通信システム100は、符号分割多元接続(CDMA)、時分割多元接続(TDMA)、周波数分割多元接続(FDMA)、空間分割多元接続(SDMA)、偏波分割多元接続(PDMA)、または当技術分野で知られている他の変調技法などのいくつかの多元接続技法のうちのいずれか1つを採用することができる。
【００２８】
情報および信号が様々な異なる技術および技法のいずれかを使用して表され得ることを当業者は理解されよう。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【００２９】
本明細書で開示する実施形態に関して説明する様々な例示的な論理ブロック、モジュール、回路、およびアルゴリズムステップは、電子ハードウェア、コンピュータソフトウェア、または両方の組合せとして実装され得ることを当業者はさらに諒解されよう。ハードウェアおよびソフトウェアのこの互換性を明確に示すために、様々な例示的な構成要素、ブロック、モジュール、回路、およびステップは、概してそれらの機能に関して上記で説明されてきた。そのような機能がハードウェアとして実装されるか、またはソフトウェアとして実装されるかは、特定の適用例および全体的なシステムに課された設計制約に依存する。当業者は、説明した機能を特定の適用例ごとに様々な方法で実装することができるが、そのような実装の決定は、本発明の範囲からの逸脱を生じるものと解釈すべきではない。
【００３０】
本明細書で開示する実施形態に関して説明する様々な例示的な論理ブロック、モジュール、および回路は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本明細書で説明する機能を実行するように設計されたそれらの任意の組合せを用いて実装または実行され得る。汎用プロセッサは、マイクロプロセッサであり得るが、代替として、プロセッサは、任意の従来のプロセッサ、コントローラ、マイクロコントローラ、または状態機械であり得る。プロセッサは、また、コンピューティングデバイスの組合せ、たとえば、DSPとマイクロプロセッサの組合せ、複数のマイクロプロセッサ、DSPコアと連携する1つもしくは複数のマイクロプロセッサ、または任意の他のそのような構成として実装され得る。
【００３１】
本明細書で開示する実施形態に関して説明する方法またはアルゴリズムのステップは、直接ハードウェアで、プロセッサによって実行されるソフトウェアモジュールで、またはその2つの組合せで具現化され得る。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または当技術分野で知られている任意の他の形態の記憶媒体に存在し得る。例示的な記憶媒体は、プロセッサが記憶媒体から情報を読み取り、記憶媒体に情報を書き込むことができるようにプロセッサに結合される。代替として、記憶媒体は、プロセッサと一体であり得る。プロセッサおよび記憶媒体は、ASIC内に存在し得る。ASICは、ユーザ端末内に存在し得る。代替として、プロセッサおよび記憶媒体は、ユーザ端末内に個別構成要素として存在し得る。
【００３２】
1つまたは複数の例示的な実施形態では、説明した機能は、ハードウェア、ソフトウェア、ファームウェア、またはそれらの任意の組合せで実装され得る。コンピュータプログラム製品としてソフトウェアで実装される場合、機能は、1つまたは複数の命令またはコードとして、コンピュータ可読媒体上に記憶されるか、またはコンピュータ可読媒体を介して送信され得る。コンピュータ可読媒体は、ある場所から別の場所へのコンピュータプログラムの転送を容易にする任意の媒体を含む、非一時的コンピュータ可読記憶媒体と通信媒体の両方を含む。記憶媒体は、コンピュータによってアクセスされ得る任意の利用可能な媒体であり得る。限定ではなく例として、そのようなコンピュータ可読媒体は、RAM、ROM、EEPROM、CD-ROMもしくは他の光ディスクストレージ、磁気ディスクストレージもしくは他の磁気記憶デバイス、または、命令もしくはデータ構造の形態の所望のプログラムコードを搬送もしくは記憶するために使用され得、コンピュータによってアクセスされ得る、任意の他の媒体を備え得る。また、任意の接続は、適切にコンピュータ可読媒体と呼ばれる。たとえば、ソフトウェアが、同軸ケーブル、光ファイバケーブル、ツイストペア、デジタル加入者回線(DSL)、または、赤外線、無線、およびマイクロ波などのワイヤレス技術を使用してウェブサイト、サーバ、または他のリモートソースから送信される場合、同軸ケーブル、光ファイバケーブル、ツイストペア、DSL、または、赤外線、無線、およびマイクロ波などのワイヤレス技術は、媒体の定義に含まれる。本明細書で使用するディスク(disk)およびディスク(disc)は、コンパクトディスク(disc)(CD)、レーザーディスク(登録商標)(disc)、光ディスク(disc)、デジタル多用途ディスク(disc)(DVD)、フロッピー(登録商標)ディスク(disk)およびブルーレイディスク(disc)を含み、ディスク(disk)は通常、データを磁気的に再生し、ディスク(disc)は、レーザーを用いてデータを光学的に再生する。上記の組合せもコンピュータ可読媒体の範囲内に含まれるべきである。
【００３３】
開示した実施形態の上記の説明は、いかなる当業者も本発明を作製または使用することを可能にするために提供される。これらの実施形態への様々な修正が当業者には容易に明らかになり、本明細書で定義する一般原理は、本発明の趣旨または範囲を逸脱することなしに他の実施形態に適用され得る。したがって、本発明は、本明細書に示す実施形態に限定されるものではなく、本明細書で開示する原理および新規の特徴に一致する最も広い範囲を与えられるべきである。
【符号の説明】
【００３４】
100  ワイヤレス通信システム
102  デバイス、局、ワイヤレスリモート局(RS)
102'  別のデバイス、RS
102"  RS
104  基地局(BS)
106  基地局コントローラ(BSC)
108  コアネットワーク
110  インターネット
112  公衆交換電話網(PSTN)
114  ウェブサーバ
200  方法
302  要求側デバイス
304  ウェブサイトサーバ
306  メッセージサーバ
308  メッセージデバイス
400  コンピュータ
410  手段、プロセッサ
420  記憶媒体
430  ディスプレイ
440  入力
450  ワイヤレス接続
460  ワイヤード接続
【図１】
0006012063.tif 000002
【図２】
0006012063.tif 000003
【図３】
0006012063.tif 000004
【図４】
0006012063.tif 000005